(57)【要約】【課題】レンチキュラー板と立体視用合成画像シート、立体視用合成画像シートと遊技基板が剥がれることのない立体視可能な遊技盤を提供することである。【解決手段】射出成形機１６でレンチキュラー板５を成形する場合において、レンチキュラー板５に遊技部品の取付孔（８ａ〜１５ａ）を設けるとともに、レンチキュラー板５の裏面を囲繞し遊技基板２の後端部までの長さを有する側壁５ａを設け、予め遊技部品の取付孔（８ｂ〜１５ｂ及び８ｃ〜１５ｃ）を設けた立体視用合成画像シート３及び遊技基板２の順で、それぞれ側壁５ａ内に嵌合してレンチキュラー板５の裏面と立体視用合成画像シート３の表面、立体視用合成画像シート３の裏面と遊技基板２の表面を接着させ、遊技基板２は側壁５ａとも接着させる。【選択図】　　　　図６
2004073544.tif 000002
【特許請求の範囲】
【請求項１】
遊技基板の前面に複数の立体視用画像を写した立体視用合成画像シートを固着し、該立体視用合成画像シート前面にレンチキュラー板を固着して前記立体視用合成画像シートに描かれた図柄を立体視可能とした遊技機の遊技盤において、成形機でレンチキュラー板及びレンチキュラー板に遊技部品取付孔を一体成形するとともに、成形時にレンチキュラー板外側端部に該レンチキュラー板裏面を囲繞し、レンチキュラー板裏面側に配置される遊技基板の後端部までの長さを有する側壁と、遊技部品取付孔の内少なくともセンターケース取付孔の周囲には遊技基板の後端部までの長さを有する側壁を配設し、上記レンチキュラー板裏面を囲繞する側壁内に、その他の遊技部品取付孔部分を切除した立体視用合成画像シート、遊技基板順で接着するとともに、前記レンチキュラー板裏面を囲繞する側壁と遊技基板を固着するように構成したことを特徴とする遊技機の遊技盤。
【請求項２】
上記接着剤により立体視用合成画像シート裏面と接着する遊技基板が含湿性の材料である場合、接着剤と遊技基板の間に防湿性シートを配設するように構成したことを特徴とする遊技機の遊技盤。
【発明の詳細な説明】
【０００１】
【発明が属する技術分野】
本発明は、遊技機の立体視可能な遊技盤に関し、より詳しくはレンチキュラー板と一体となった遊技盤に関する。
【０００２】
【従来の技術】
近時、遊技者の興趣を高めるため、遊技基板２の前面に複数の視差のある画像を写した立体視用合成画像シート３を貼り付け、立体視用合成画像シート３の前面に、該立体視用合成画像シート３にレンズ６のピッチＰを合わせたレンチキュラー板５を配置した遊技盤を遊技機に取付け、遊技者に立体画像を見せることが行われている。図２に示すように、レンチキュラー板５は、円柱周面形状（シリンドリカル形状）とした縦方向にわたるレンズ６を複数枚並設して板状としたものである。レンチキュラー板５の裏面に接着剤７（或いは両面テープ）で接着された前記立体視用合成画像シート３には、左右の複数の方向から撮影して得られた視差のある複数枚（二枚またはそれ以上）の原画像を分割し、線状に圧縮して合成された一つの合成画像が写されている。上記立体視用合成画像シート３は、接着剤４によって木製の遊技基板２に接着されている。
【０００３】
遊技者が、遊技機の前に設置されている椅子に座って前記遊技基板２に貼付された立体視用合成画像シート３を見ると、例えば図３で示すように、右眼で画像αを、左眼で画像βを見ることになる。図柄を立体視するのに必要な合成画像は、二像またはそれ以上の原画像から合成されていて、前記画像αと画像βとは異なる画像であり、それらの間では、立体視に必要な視差が含まれているから、遊技者は立体感のある図柄を見ることができる。
【０００４】
上記のように立体視可能な遊技盤は、レンチキュラー板５の裏面に立体視用合成画像シート３の表面を、立体視用合成画像シート３の裏面に木製の遊技基板２をそれぞれ接着剤４、７で貼付して一体化した後に加工機で部品取付孔を必要な大きさで、遊技部品の数だけ開けている。即ち、図示しない内レールに囲まれた遊技領域内に配置され、図柄表示装置８’を固定するセンターケース８、風車９、始動口１０、通過チャッカー１１、入賞口１２、左右に一対の入賞口と中央に大入賞口を配置するアタッカー１３、サイドランプ１４等の遊技部品取付孔及び賞球しなかった遊技球が通過するアウト口１５の孔を開ける。
【０００５】
【発明が解決しようとする課題】
ところが加工機で遊技部品の取付孔開け作業時に、該孔の周囲において、接着したレンチキュラー板と立体視用合成画像シートが剥離して、その結果立体画像がぼやけて見えることが生ずるという問題があった。また、遊技盤に遊技部品を取り付けるため、遊技盤を移動する際に遊技盤を機械などに接触させると立体視用合成画像シートと遊技基板が剥がれることがあり、接着作業をやり直したり、立体視用合成画像シートを交換しなければならないという問題もあった。更に、遊技基板がベニア等木製である場合に、特にセンターケースに配置される特別図柄装置のディスプレイを照明する照明具の熱等で湿気が出て、レンチキュラー板を通して明瞭な図柄が見ることができない場合を生じていた。
【０００６】
【課題を解決するための手段】
上記課題を解決するため本発明が採用した手段を以下に記載する。本発明請求項１記載の発明は、「遊技基板の前面に複数の立体視用画像を写した立体視用合成画像シートを固着し、該立体視用合成画像シート前面にレンチキュラー板を固着して前記立体視用合成画像シートに描かれた図柄を立体視可能とした遊技機の遊技盤において、成形機でレンチキュラー板及びレンチキュラー板に遊技部品取付孔を一体成形するとともに、成形時にレンチキュラー板外側端部に該レンチキュラー板裏面を囲繞し、レンチキュラー板裏面側に配置される遊技基板の後端部までの長さを有する側壁と、遊技部品取付孔の内少なくともセンターケース取付孔の周囲には遊技基板の後端部までの長さを有する側壁を配設し、上記レンチキュラー板裏面を囲繞する側壁内に、その他の遊技部品取付孔部分を切除した立体視用合成画像シート、遊技基板順で接着するとともに、前記レンチキュラー板裏面を囲繞する側壁と遊技基板を固着するように構成したことを特徴とする遊技機の遊技盤」である。
【０００７】
「レンチキュラー板に遊技部品取付孔を一体成形する」とは、射出成形用金型作成時に、合成樹脂材料の及ばない箇所を設けておき、他の箇所に材料を及ぼすことによって、遊技部品取付孔を形成することである。また、「レンチキュラー板裏面を囲繞し」とは、レンチキュラー板の裏面が側壁で囲まれていることで、レンチキュラー板の裏面全域に亘って連続した側壁を設けても、一定の間隔を設けて側壁を設けてもよい。
【０００８】
「レンチキュラー板裏面側に配置される遊技基板の後端部までの長さを有する側壁」とは、前記側壁の後端部が遊技基板の後端部と同一の平面を構成する長さであることであり、また、「その他の遊技部品取付孔部分を切除した立体視用合成画像シート、遊技基板」とは、レンチキュラー板、立体視用合成画像シート及び遊技基板を接着して遊技盤を構成した後に遊技部品取付孔を開けるのではなく、立体視用合成画像シート、遊技基板それぞれに予め部品取付孔を設けておくことである。
【０００９】
「少なくともセンターケース取付孔の周囲には遊技基板の後端部までの長さを有する側壁を配設し」とは、遊技部品取付孔のうち、最も大きな取付孔であるセンターケース取付孔にはレンチキュラー板裏面を囲繞する側壁と同長の側壁を配設することであり、他の遊技部品取付孔にも遊技盤後端部までの長さを有する側壁を設けてもよい。
【００１０】
「前記レンチキュラー板裏面を囲繞する側壁と遊技基板を固着する」とは、最も重量がある遊技基板については、遊技基板の前面に位置する立体視用合成画像シートの裏面と接着剤（或いは両面テープ）等で接着しているだけなので特に剥がれやすく、より強固に固着させるためにレンチキュラー板裏面を囲繞する側壁の内面と接着剤で接着させるか、若しくは螺着させることである。遊技基板が合成樹脂である場合においてもベニア等木製の遊技基板と同様、接着剤による接着、或いは螺子による螺着をおこなう。また、成形機によってレンチキュラー板を形成した後に再度成形機において遊技基板を成形する場合には、レンチキュラー板裏面を囲繞する側壁内に遊技基板が射出され、該側壁と溶着させることができる。
【００１１】
本発明請求項２記載の発明は、「接着剤により立体視用合成画像シート裏面と接着する遊技基板が含湿性の材料である場合、接着剤と遊技基板の間に防湿性シートを配設するように構成したことを特徴とする遊技機の遊技盤」である。
【００１２】
「遊技基板が含湿性の材料である」とは、木等湿度を含むことのできる材料で作成した遊技基板をいい、「防湿性シートを配設する」とは、例えばケント紙等をいう。
【００１３】
【発明の実施の形態】
本発明の遊技機の立体視可能な遊技盤の実施の形態を図４から図１０を参考にして詳細に説明する。図４は本発明の遊技盤の構成を表す斜視図、図５は本発明のレンチキュラー板を射出成形機で成形する説明図、図６は図４のＡ−Ａ’の断面図、図７は図６の断面図に防湿性シートを配置した遊技盤の構成図、図８は本発明のレンチキュラー板に合成樹脂製の遊技基板を配置した遊技盤の構成図、図９は本発明のレンチキュラー板に合成樹脂製の遊技基板を射出成形機で一体成形する説明図、図１０は本発明のレンチキュラー板の裏面に成形機で透光色の合成樹脂、非透光色の合成樹脂を順次成形して一体化した遊技基板を配置した遊技盤の構成図である。
【００１４】
図４において５はレンチキュラー板であり、図５で図示すようにＰＭＭＡ樹脂１７を材料として射出成形機１６で成形される。ホッパー１６ｆから加熱されて流動状態になったＰＭＭＡ樹脂１７を流入させ、モーター１６ｄによりシリンダー１６ｅを回転させて流動状態のＰＭＭＡ樹脂１７をノズル１６ｃ側に移送し、ノズル１６ｃからＰＭＭＡ樹脂１７を固定型１６ａと可動型１６ｂを締めて一体として加圧注入する。可動型１６ｂ内で最初にレンズ６、続いてレンチキュラー板５が成形され、続いて、レンチキュラー板５の裏面側の外側端部から遊技基板２の裏面までの長さを有し、該レンチキュラー板５の裏面を囲繞する側壁５ａが形成される。射出成形機１６で成形時に材料のＰＭＭＡ樹脂１７が及ばない箇所に各遊技部品の取付孔８ａ、１１ａ（図５）が形成される。また、センターケース８の取付孔８ａにはレンチキュラー板裏面を囲繞する側壁５ａと同長の囲繞壁８ｂが設けられる。
【００１５】
レンチキュラー板５の各遊技部品の取付孔（８ａ〜１５ａ）に対応する箇所（８ｂ〜１５ｂ）を切除した立体視用合成画像シート３を、同じくレンチキュラー板５の各遊技部品の取付孔（８ａ〜１５ａ）に対応する箇所に取付孔（８ｃ〜１５ｃ）を配置した遊技基板２をそれぞれに設けた取付孔（８ｂ〜１５ｂ）と取付孔（８ｃ〜１５ｃ）が重なって一つの取付孔となるように貼付する。そして、レンチキュラー板５の裏面で側壁５ａの直ぐ内側に接着剤（或いは両面テープ）７を付け、レンチキュラー板５の裏面と立体視用合成画像シート３の表面を対向させ、遊技基板２をレンチキュラー板５に設けた側壁５ａ内に嵌合するとともに、レンチキュラー板５に設けたセンターケース取付孔８ａに続く囲繞壁８ｂが取付孔（８ｂ、８ｃ）の内側に位置させた後、遊技基板２を移動させてレンチキュラー板５に立体視用合成画像シート３を接着する。この時、側壁５ａの内部及び囲繞壁８ｂの外部に接着剤２０を塗っておけば、レンチキュラー板５内に立体視用合成画像シート３と貼付した遊技基板２は強固に接着され、レンチキュラー板５と遊技基板２は剥がれることがない。レンチキュラー板５、立体視用合成画像シート３、遊技基板２が一体となった遊技盤１には遊技部品が取付けられたり、多数の釘１９が打設される。
【００１６】
図７において１８は裏面に接着剤（図示せず）を貼付したケント紙であり、ケント紙１８は防湿性シートとして遊技基板２が湿気を含む木製で有る場合、湿気を接着剤４、立体視用合成画像シート３に及ぼすことを防ぎ、立体視用合成画像シート３の色の劣化等を防ぐことができる。
【００１７】
図８の遊技盤１は、レンチキュラー板５に接着させた立体視用合成画像シート３の裏面に合成樹脂製（透光色）の遊技基板２を配設することで構成されている。立体視用合成画像シート３の裏面に合成樹脂製の遊技基板２を配設するには射出成形機１６を使用するため、この場合加熱され流動状態になったＡＢＳ樹脂１７ａにより該立体視用合成画像シート３が損傷してしまう。これを防ぐために立体視用合成画像シート３の裏面にスプレーガンによりＡＢＳ樹脂１７ａを材料とした粉体塗料を塗装し保護層（いずれも図示せず）を設けた後にＡＢＳ樹脂１７ａを加圧注入して遊技基板２を形成する。この場合においても遊技基板２として注入されたＡＢＳ樹脂１７ａは、前記保護層の他にレンチキュラー板５の側壁５ａに溶着するので、立体視用合成画像シート３と遊技基板２が剥がれることがない（図９）。
【００１８】
上述したように、遊技基板２は透光色のＡＢＳ樹脂１７ａのみで一つの層を形成してもよいが、遊技基板２の機台前方側を透光色のＡＢＳ樹脂１７ａを射出成形して遊技基板層２ａを形成した後、顔料を加えて非透光色としたＡＢＳ樹脂１７ａを射出成形して遊技基板層２ｂを形成すると、立体視用合成画像シート３の図柄をより明瞭に見ることができる。この場合においても、遊技基板層２ａは前記側板５ａに溶着するので立体視用合成画像シート３と遊技基板２が剥がれることがない。
【００１９】
【発明の効果】
本発明によれば、遊技盤を構成する遊技基板が、レンチキュラー板の裏面に接着した立体視用合成画像シートの裏面に接着するとともに、レンチキュラー板の裏面を囲繞し、遊技基板の後端部までの長さを有するする側壁にも固着するため、レンチキュラー板と遊技基板が互いに剥がれない、一体となった遊技盤を提供できる。レンチキュラー板と遊技基板の間に配置される立体視用合成画像シートも遊技部品取付孔周辺で剥がれを生ずることがないため、遊技者はクリヤで立体的な画像を見ることができる。また、遊技基板が含湿性の材料で製作されていても、遊技基板の機台前方側に防湿性シートであるケント紙を貼り付けたので、湿気が接着剤、立体視用合成画像シートを劣化させることがない。
【図面の簡単な説明】
【図１】パチンコ機の正面図である。
【図２】従来の遊技盤の構成図である。
【図３】従来のレンチキュラー板による立体視を説明する図である。
【図４】本発明の遊技盤の構成を表す斜視図である。
【図５】本発明のレンチキュラー板を射出成形機で成形する説明図である。
【図６】Ａ−Ａ’の断面図である。
【図７】Ａ−Ａ’の断面図に防湿性シートを配置した遊技盤の構成図である。
【図８】本発明のレンチキュラー板に合成樹脂製の遊技基板を配置した遊技盤の構成図である。
【図９】本発明のレンチキュラー板に合成樹脂製の遊技基板を射出成形機で一体成形する説明図である。
【図１０】本発明のレンチキュラー板の裏面に成形機で透光色の合成樹脂、非透光色の合成樹脂を順次成形して一体化した遊技基板を配置した遊技盤の構成図である。
【符号の説明】
１；遊技盤、２；遊技基板、２ａ；遊技基板層（透光色）、２ｂ；遊技基板層（非透光色）、３；立体視用合成画像シート、４；接着剤、５；レンチキュラー板、５ａ；側壁、６；レンズ、７；接着剤、８；センターケース、８ａ；取付孔、８ｂ；囲繞壁、９；風車、１０；始動口、１１；通過チャッカー、１２；入賞口、１３；アタッカー、１４；サイドランプ、１５；アウト口、１６；射出成形機、１６ａ；固定型、１６ｂ；可動型、１６ｃ；ノズル、１６ｄ；モーター、１６ｅ；シリンダー、１６ｆ；ホッパー、１７；ＰＭＭＡ樹脂、１７ａ；ＡＢＳ樹脂、１８；ケント紙、１９；釘、２０；接着剤。
【図１】
2004073544.tif 000003
【図２】
2004073544.tif 000004
【図３】
2004073544.tif 000005
【図４】
2004073544.tif 000006
【図５】
2004073544.tif 000007
【図６】
2004073544.tif 000008
【図７】
2004073544.tif 000009
【図８】
2004073544.tif 000010
【図９】
2004073544.tif 000011
【図１０】
2004073544.tif 000012